(57)【特許請求の範囲】
【請求項１】
液晶表示パネルの駆動方法であって、前記液晶表示パネルは、アレイ状に配列された複数のサブ画素を含み、各列のサブ画素はいずれも、１行目から最終行まで交互に重複して配列された第１サブ画素、第２サブ画素、及び第３サブ画素を含み、前記第１サブ画素は第１色を表示するために使用され、前記第２サブ画素は第２色を表示するために使用され、前記第３サブ画素は第３色を表示するために使用され、前記駆動方法は、
前記第１サブ画素からなる第１サブ画素グループと、前記第２サブ画素からなる第２サブ画素グループと、前記第３サブ画素からなる第３サブ画素グループとを含む３つのサブ画素グループに同一列内の複数のサブ画素を分割するステップと、
各サブ画素グループ内の対応するすべてのサブ画素の充電が完了するまで、前記第１サブ画素グループ、前記第２サブ画素グループ、及び前記第３サブ画素グループの順序に従って、各サブ画素グループ内の対応するＫ個のサブ画素を順番に充電し、各サブ画素グループ内のＫ個すべてのサブ画素の充電が完了するまでの間、当該サブ画素グループに対応するデータ線のハイ・ローレベルのデータ信号を変化させることなく、前記液晶表示パネルが単色の画面を表示するときに前記データ線のハイ・ローレベル変換周波数はＫによって決まり、Ｋは１より大きく且つ各サブ画素グループ内のサブ画素数より小さい整数であるステップと、を含み、
前記第１サブ画素は赤色サブ画素であり、前記第２サブ画素は緑色サブ画素であり、前記第３サブ画素は青色サブ画素であり、
前記液晶表示パネルは、複数の走査線及び複数のデータ線を更に含み、各走査線は１行のサブ画素に接続され、各データ線は１列のサブ画素に接続される、ことを特徴とする液晶表示パネルの駆動方法。
【請求項２】
前記液晶表示パネルが第１色の画面を表示するとき、前記第１サブ画素に接続された走査線がオンされている間、前記データ線はハイレベルのデータ信号を印加し、前記第２サブ画素及び前記第３サブ画素に接続された走査線がオンされている間、前記データ線はローレベルのデータ信号を印加する、ことを特徴とする請求項１に記載の液晶表示パネルの駆動方法。
【請求項３】
前記液晶表示パネルが第２色の画面を表示するとき、前記第２サブ画素に接続された走査線がオンされている間、前記データ線はハイレベルのデータ信号を印加し、前記第１サブ画素及び前記第３サブ画素に接続された走査線がオンされている間、前記データ線はローレベルのデータ信号を印加する、ことを特徴とする請求項１に記載の液晶表示パネルの駆動方法。
【請求項４】
前記液晶表示パネルが第３色の画面を表示するとき、前記第３サブ画素に接続された走査線がオンされている間、前記データ線はハイレベルのデータ信号を印加し、前記第１サブ画素及び前記第２サブ画素に接続された走査線がオンされている間、前記データ線はローレベルのデータ信号を印加する、ことを特徴とする請求項１に記載の液晶表示パネルの駆動方法。
【請求項５】
同一列に順に連続して配列された第１サブ画素、第２サブ画素、及び第３サブ画素はともに表示画素を構成する、ことを特徴とする請求項１に記載の液晶表示パネルの駆動方法。
【請求項６】
前記第１サブ画素グループ内の対応するＫ個の第１サブ画素は、連続して配列される第１サブ画素である、ことを特徴とする請求項１に記載の液晶表示パネルの駆動方法。
【請求項７】
前記第２サブ画素グループ内の対応するＫ個の第２サブ画素は、連続して配列される第２サブ画素である、ことを特徴とする請求項１に記載の液晶表示パネルの駆動方法。
【請求項８】
前記第３サブ画素グループ内の対応するＫ個の第３サブ画素は、連続して配列される第３サブ画素である、ことを特徴とする請求項１に記載の液晶表示パネルの駆動方法。
【請求項９】
液晶表示パネルの駆動方法であって、前記液晶表示パネルは、アレイ状に配列された複数のサブ画素を含み、各列のサブ画素はいずれも、１行目から最終行まで交互に重複して配列された第１サブ画素、第２サブ画素、及び第３サブ画素を含み、前記第１サブ画素は第１色を表示するために使用され、前記第２サブ画素は第２色を表示するために使用され、前記第３サブ画素は第３色を表示するために使用され、前記駆動方法は、
前記第１サブ画素からなる第１サブ画素グループと、前記第２サブ画素からなる第２サブ画素グループと、前記第３サブ画素からなる第３サブ画素グループとを含む３つのサブ画素グループに同一列内の複数のサブ画素を分割するステップと、
各サブ画素グループ内の対応するすべてのサブ画素の充電が完了するまで、前記第１サブ画素グループ、前記第２サブ画素グループ、及び前記第３サブ画素グループの順序に従って、各サブ画素グループ内の対応するＫ個のサブ画素を順番に充電し、各サブ画素グループ内のＫ個すべてのサブ画素の充電が完了するまでの間、当該サブ画素グループに対応するデータ線のハイ・ローレベルのデータ信号を変化させることなく、前記液晶表示パネルが単色の画面を表示するときに前記データ線のハイ・ローレベル変換周波数はＫによって決まり、Ｋは１より大きく且つ各サブ画素グループ内のサブ画素数より小さい整数であるステップと、を含む、ことを特徴とする液晶表示パネルの駆動方法。
【請求項１０】
前記第１サブ画素は赤色サブ画素であり、前記第２サブ画素は緑色サブ画素であり、前記第３サブ画素は青色サブ画素である、ことを特徴とする請求項９に記載の液晶表示パネルの駆動方法。
【請求項１１】
前記液晶表示パネルは、複数の走査線及び複数のデータ線を更に含み、各走査線は１行のサブ画素に接続され、各データ線は１列のサブ画素に接続される、ことを特徴とする請求項９に記載の液晶表示パネルの駆動方法。
【請求項１２】
前記液晶表示パネルが第１色の画面を表示するとき、前記第１サブ画素に接続された走査線がオンされている間、前記データ線はハイレベルのデータ信号を印加し、前記第２サブ画素及び前記第３サブ画素に接続された走査線がオンされている間、前記データ線はローレベルのデータ信号を印加する、ことを特徴とする請求項１１に記載の液晶表示パネルの駆動方法。
【請求項１３】
前記液晶表示パネルが第２色の画面を表示するとき、前記第２サブ画素に接続された走査線がオンされている間、前記データ線はハイレベルのデータ信号を印加し、前記第１サブ画素及び前記第３サブ画素に接続された走査線がオンされている間、前記データ線はローレベルのデータ信号を印加する、ことを特徴とする請求項１１に記載の液晶表示パネルの駆動方法。
【請求項１４】
前記液晶表示パネルが第３色の画面を表示するとき、前記第３サブ画素に接続された走査線がオンされている間、前記データ線はハイレベルのデータ信号を印加し、前記第１サブ画素及び前記第２サブ画素に接続された走査線がオンされている間、前記データ線はローレベルのデータ信号を印加する、ことを特徴とする請求項１１に記載の液晶表示パネルの駆動方法。
【請求項１５】
同一列において順に連続して配列された第１サブ画素、第２サブ画素、及び第３サブ画素はともに表示画素を構成する、ことを特徴とする請求項９に記載の液晶表示パネルの駆動方法。
【請求項１６】
前記第１サブ画素グループ内の対応するＫ個の第１サブ画素は、連続して配列される第１サブ画素である、ことを特徴とする請求項９に記載の液晶表示パネルの駆動方法。
【請求項１７】
前記第２サブ画素グループ内の対応するＫ個の第２サブ画素は、連続して配列される第２サブ画素である、ことを特徴とする請求項９に記載の液晶表示パネルの駆動方法。
【請求項１８】
前記第３サブ画素グループ内の対応するＫ個の第３サブ画素は、連続して配列される第３サブ画素である、ことを特徴とする請求項９に記載の液晶表示パネルの駆動方法。
【発明の詳細な説明】
【技術分野】
【０００１】
本発明は表示技術の分野に関し、特に液晶表示パネルの駆動方法に関する。
【背景技術】
【０００２】
液晶表示パネルは、現在最も広く使用されている表示パネルであり、携帯電話、パーソナルデジタルアシスタント（ＰＤＡ）、デジタルカメラ、コンピュータ、又はノートブックパソコンなどの様々な電子装置に高解像度カラースクリーンを提供することができる。
【０００３】
図１を参照すると、図１は、従来の液晶表示パネルで一般的に使用されている２種類の駆動アーキテクチャの模式図である。図１に示すように、第１種類の駆動アーキテクチャの液晶表示パネル１０１は、複数の走査線Ｇ１−Ｇ６（図には６本の走査線のみを概略的に示す）、複数のデータ線Ｄ１−Ｄ２（図には２本のデータ線のみを概略的に示す）、及びアレイ状に配列された複数のサブ画素を含む。前記サブ画素は、赤色サブ画素Ｒ、緑色サブ画素Ｇ、及び青色サブ画素Ｂを含む。各列のサブ画素において、赤色サブ画素Ｒ、緑色サブ画素Ｇ、及び青色サブ画素Ｂは順に交互に重複して配列される。第２種類の駆動アーキテクチャの液晶表示パネル１０２は、複数の走査線Ｇ１−Ｇ２（図には２本の走査線のみを概略的に示す）、複数のデータ線Ｄ１−Ｄ６（図には６本のデータ線のみを概略的に示す）、及びアレイ状に配列された複数のサブ画素を含む。前記サブ画素は、赤色サブ画素Ｒ、緑色サブ画素Ｇ、及び青色サブ画素Ｂを含む。各行のサブ画素において、赤色サブ画素Ｒ、緑色サブ画素Ｇ、及び青色サブ画素Ｂは順に交互に重複して配列される。
【０００４】
第１種類の駆動アーキテクチャを採用することによって、走査線数を３倍にし、データ線数を元の１／３にすることができるため、ソースドライバのデータ線数を削減し、ソースドライバのコストを低下することができる。
【０００５】
図２と図３を参照すると、図２は、従来の液晶表示パネルが第１駆動アーキテクチャを用いて緑色画面を表示する模式図である。図３は、従来の液晶表示パネルが第１駆動アーキテクチャを用いて緑色画面を表示する駆動波形の模式図である。しかしながら、第１種類の駆動アーキテクチャでは、単色の画面（緑色の画面）を表示するとき、電圧値は常に高低変化の状態にあるため、データ線上の実際の電圧値変化曲線Ｓ１は、理論上の電圧値変化曲線Ｓ２とは異なる。それにより、画素の充電能力が非常に悪く、充電が不十分になりやすいので、画面の表示が不良になり、表示品質が低下する。
【０００６】
従って、従来技術における問題を解決するために、液晶表示パネルの駆動方法を提供する必要がある。
【発明の概要】
【発明が解決しようとする課題】
【０００７】
本発明の目的は、従来の液晶表示パネルが単色画面を表示する際に電圧値が常に高低変化の状態にあることにより、画素の充電能力が悪く、充電が不十分になりやすいので、画面の表示が不良になり、表示品質が低下するという問題を解決するために、液晶表示パネルの駆動方法を提供することである。
【課題を解決するための手段】
【０００８】
本発明は、液晶表示パネルの駆動方法を提供する。前記液晶表示パネルは、アレイ状に配列された複数のサブ画素を含む。各列のサブ画素はいずれも、１行目から最終行まで交互に重複して配列された第１サブ画素、第２サブ画素、及び第３サブ画素を含む。前記第１サブ画素は第１色を表示するために使用される。前記第２サブ画素は第２色を表示するために使用される。前記第３サブ画素は第３色を表示するために使用される。前記駆動方法は、
前記第１サブ画素からなる第１サブ画素グループと、前記第２サブ画素からなる第２サブ画素グループと、前記第３サブ画素からなる第３サブ画素グループとを含む３つのサブ画素グループに同一列内の複数のサブ画素を分割するステップと、
各サブ画素グループ内の対応するすべてのサブ画素の充電が完了するまで、第１サブ画素グループ、第２サブ画素グループ、及び第３サブ画素グループの順序に従って、各サブ画素グループ内の対応するＫ個のサブ画素を順番に充電し、それにより前記液晶表示パネルが単色の画面を表示するときにデータ線のハイ・ローレベル変換周波数が低下し、Ｋは１より大きい整数であるステップと、を含み、
前記第１サブ画素は赤色サブ画素であり、前記第２サブ画素は緑色サブ画素であり、前記第３サブ画素は青色サブ画素であり、
前記液晶表示パネルは、複数の走査線及び複数のデータ線を更に含み、各走査線は１行のサブ画素に接続され、各データ線は１列のサブ画素に接続される。
【０００９】
本発明の液晶表示パネルの駆動方法において、前記液晶表示パネルが第１色の画面を表示するとき、前記第１サブ画素に接続された走査線がオンされている間、前記データ線はハイレベルのデータ信号を印加し、前記第２サブ画素及び前記第３サブ画素に接続された走査線がオンされている間、前記データ線はローレベルのデータ信号を印加する。
【００１０】
本発明の液晶表示パネルの駆動方法において、前記液晶表示パネルが第２色の画面を表示するとき、前記第２サブ画素に接続された走査線がオンされている間、前記データ線はハイレベルのデータ信号を印加し、前記第１サブ画素及び前記第３サブ画素に接続された走査線がオンされている間、前記データ線はローレベルのデータ信号を印加する。
【００１１】
本発明の液晶表示パネルの駆動方法において、前記液晶表示パネルが第３色の画面を表示するとき、前記第３サブ画素に接続された走査線がオンされている間、前記データ線はハイレベルのデータ信号を印加し、前記第１サブ画素及び前記第２サブ画素に接続された走査線がオンされている間、前記データ線はローレベルのデータ信号を印加する。
【００１２】
本発明の液晶表示パネルの駆動方法において、同一列において順に連続して配列された第１サブ画素、第２サブ画素、及び第３サブ画素はともに表示画素を構成する。
【００１３】
本発明の液晶表示パネルの駆動方法において、前記第１サブ画素グループ内の対応するＫ個の第１サブ画素は、連続して配列される第１サブ画素である。
【００１４】
本発明の液晶表示パネルの駆動方法において、前記第２サブ画素グループ内の対応するＫ個の第２サブ画素は、連続して配列される第２サブ画素である。
【００１５】
本発明の液晶表示パネルの駆動方法において、前記第３サブ画素グループ内の対応するＫ個の第３サブ画素は、連続して配列される第３サブ画素である。
【００１６】
本発明は、更なる液晶表示パネルの駆動方法を提供する。前記液晶表示パネルは、アレイ状に配列された複数のサブ画素を含む。各列のサブ画素はいずれも、１行目から最終行まで交互に重複して配列された第１サブ画素、第２サブ画素、及び第３サブ画素を含む。前記第１サブ画素は第１色を表示するために使用される。前記第２サブ画素は第２色を表示するために使用される。前記第３サブ画素は第３色を表示するために使用される。前記駆動方法は、
前記第１サブ画素からなる第１サブ画素グループと、前記第２サブ画素からなる第２サブ画素グループと、前記第３サブ画素からなる第３サブ画素グループとを含む３つのサブ画素グループに同一列内の複数のサブ画素を分割するステップと、
各サブ画素グループ内の対応するすべてのサブ画素の充電が完了するまで、第１サブ画素グループ、第２サブ画素グループ、及び第３サブ画素グループの順序に従って、各サブ画素グループ内の対応するＫ個のサブ画素を順番に充電し、それにより前記液晶表示パネルが単色の画面を表示するときにデータ線のハイ・ローレベル変換周波数が低下し、Ｋは１より大きい整数であるステップと、を含む。
【００１７】
本発明の液晶表示パネルの駆動方法において、前記第１サブ画素は赤色サブ画素であり、前記第２サブ画素は緑色サブ画素であり、前記第３サブ画素は青色サブ画素である。
【００１８】
本発明の液晶表示パネルの駆動方法において、前記液晶表示パネルは、複数の走査線及び複数のデータ線を更に含み、各走査線は１行のサブ画素に接続され、各データ線は１列のサブ画素に接続される。
【００１９】
本発明の液晶表示パネルの駆動方法において、前記液晶表示パネルが第１色の画面を表示するとき、前記第１サブ画素に接続された走査線がオンされている間、前記データ線はハイレベルのデータ信号を印加し、前記第２サブ画素及び前記第３サブ画素に接続された走査線がオンされている間、前記データ線はローレベルのデータ信号を印加する。
【００２０】
本発明の液晶表示パネルの駆動方法において、前記液晶表示パネルが第２色の画面を表示するとき、前記第２サブ画素に接続された走査線がオンされている間、前記データ線はハイレベルのデータ信号を印加し、前記第１サブ画素及び前記第３サブ画素に接続された走査線がオンされている間、前記データ線はローレベルのデータ信号を印加する。
【００２１】
本発明の液晶表示パネルの駆動方法において、前記液晶表示パネルが第３色の画面を表示するとき、前記第３サブ画素に接続された走査線がオンされている間、前記データ線はハイレベルのデータ信号を印加し、前記第１サブ画素及び前記第２サブ画素に接続された走査線がオンされている間、前記データ線はローレベルのデータ信号を印加する。
【００２２】
本発明の液晶表示パネルの駆動方法において、同一列において順に連続して配列された第１サブ画素、第２サブ画素、及び第３サブ画素はともに表示画素を構成する。
【００２３】
本発明の液晶表示パネルの駆動方法において、前記第１サブ画素グループ内の対応するＫ個の第１サブ画素は、連続して配列される第１サブ画素である。
【００２４】
本発明の液晶表示パネルの駆動方法において、前記第２サブ画素グループ内の対応するＫ個の第２サブ画素は、連続して配列される第２サブ画素である。
【００２５】
本発明の液晶表示パネルの駆動方法において、前記第３サブ画素グループ内の対応するＫ個の第３サブ画素は、連続して配列される第３サブ画素である。
【発明の効果】
【００２６】
本発明の液晶表示パネルの駆動方法は、第１サブ画素からなる第１サブ画素グループと、第２サブ画素からなる第２サブ画素グループと、第３サブ画素からなる第３サブ画素グループとを含む３つのサブ画素グループに同一列内の複数のサブ画素を分割することと、各サブ画素グループ内の対応するすべてのサブ画素の充電が完了するまで、第１サブ画素グループ、第２サブ画素グループ、及び第３サブ画素グループの順序に従って、各サブ画素グループ内の対応するＫ個のサブ画素を順番に充電することとによって、液晶表示パネルが単色の画面を表示するとき、データ線上の電圧値のハイ・ローレベル変換周波数を低下させ、画素の充電能力を向上させ、それにより液晶表示パネルの表示品質を向上させる。
【００２７】
本発明の上記内容を更に分かり易くするために、以下において実施例を挙げ、図面と併せて詳細に説明する。
【図面の簡単な説明】
【００２８】
以下、添付の図面を参照しながら、本発明の具体的な実施形態を詳細に説明することによって、本発明の技術案及び他の有益な効果が明らかになる。
【図１】従来の液晶表示パネルで一般的に使用されている２種類の駆動アーキテクチャの模式図である。
【図２】従来の液晶表示パネルが第１駆動アーキテクチャを用いて緑色画面を表示する模式図である。
【図３】従来の液晶表示パネルが第１駆動アーキテクチャを用いて緑色画面を表示する駆動波形の模式図である。
【図４】本発明の液晶表示パネルの駆動アーキテクチャの模式図である。
【図５】本発明の液晶表示パネルの駆動方法の駆動波形の模式図である。
【図６】本発明の液晶表示パネルが第１色の画面を表示する駆動波形の模式図である。
【図７】本発明の他の実施例の液晶表示パネルが第１色の画面を表示する駆動波形の模式図である。
【発明を実施するための形態】
【００２９】
本発明の技術的手段及び効果をより明確にするために、以下の詳細な説明は、本発明の好ましい実施例及び添付の図面に関連してなされる。当然のことながら、ここで説明する実施例は本発明の実施例の全てではなく一部にすぎない。当業者が創造的な作業なしに本発明の諸実施例に基づいて得られる他の全ての実施例は、本発明の保護範囲に含まれるべきである。
【００３０】
本発明は、液晶表示パネルの駆動方法を提供する。その液晶表示パネルは、アレイ状に配列された複数のサブ画素を含む。各列のサブ画素はいずれも、１行目から最終行まで交互に重複して配列された第１サブ画素、第２サブ画素、及び第３サブ画素を含む。第１サブ画素は第１色を表示するために使用される。第２サブ画素は第２色を表示するために使用される。第３サブ画素は第３色を表示するために使用される。その駆動方法は以下のステップを含む。
第１サブ画素からなる第１サブ画素グループと、第２サブ画素からなる第２サブ画素グループと、第３サブ画素からなる第３サブ画素グループとを含む３つのサブ画素グループに同一列内の複数のサブ画素を分割する。
各サブ画素グループ内の対応するすべてのサブ画素の充電が完了するまで、第１サブ画素グループ、第２サブ画素グループ、及び第３サブ画素グループの順序に従って、各サブ画素グループ内の対応するＫ個のサブ画素を順番に充電する。それによって、液晶表示パネルが単色の画面を表示するときに、データ線上の電圧値のハイ・ローレベル変換周波数が低下し、画素の充電能力が向上し、それにより液晶表示パネルの表示品質が向上する。Ｋは１より大きい整数である。第１サブ画素グループ内の対応するＫ個の第１サブ画素は、連続して配列される第１サブ画素である。第２サブ画素グループ内の対応するＫ個の第２サブ画素は、連続して配列される第２サブ画素である。第３サブ画素グループ内の対応するＫ個の第３サブ画素は、連続して配列される第３サブ画素である。
【００３１】
図４を参照すると、図４は、本発明の液晶表示パネルの駆動アーキテクチャの模式図である。図４に示すように、その液晶表示パネル４０は、複数の走査線Ｇ１−Ｇ（ｎ）と、複数のデータ線Ｄ１−Ｄ（ｎ）と、複数の走査線Ｇ１−Ｇ（ｎ）及び複数のデータ線Ｄ１−Ｄ（ｎ）により限定される複数のサブ画素とを含む。走査線Ｇ１−Ｇ（ｎ）は行方向に沿って順に配列され、データ線Ｄ１−Ｄ（ｎ）は列方向に沿って順に配列される。各走査線は１行のサブ画素に接続され、各データ線は１列のサブ画素に接続される。
【００３２】
具体的には、各列のサブ画素はいずれも、１行目から最終行まで交互に重複して配列された第１サブ画素４０１、第２サブ画素４０２、及び第３サブ画素４０３を含む。第１サブ画素４０１は第１色を表示するために使用される。第２サブ画素４０２は第２色を表示するために使用される。第３サブ画素４０３は第３色色を表示するために使用される。同一列において順に連続して配列された第１サブ画素４０１、第２サブ画素４０２、及び第３サブ画素４０３はともに表示画素を構成する。
【００３３】
好ましくは、第１サブ画素４０１は赤色サブ画素Ｒであり、第２サブ画素４０２は緑色サブ画素Ｇであり、第３サブ画素４０３は青色サブ画素Ｂである。なお、本発明の液晶表示パネル４０の第１サブ画素４０１、第２サブ画素４０２、及び第３サブ画素４０３は、赤色サブ画素Ｒ、緑色サブ画素Ｇ、及び青色サブ画素Ｂのうちのいずれかであってもよい。第１サブ画素４０１、第２サブ画素４０２、及び第３サブ画素４０３は、異なる色を表示するサブ画素である。
【００３４】
本発明では、同一列の複数のサブ画素は、３つのサブ画素グループに分割される。３つのサブ画素グループは、第１サブ画素グループ、第２サブ画素グループ、及び第３サブ画素グループを含む。第１サブ画素グループは第１サブ画素４０１からなる。第２サブ画素グループは第２サブ画素４０２からなる。第３サブ画素グループは第３サブ画素４０３からなる。
【００３５】
本発明の一実施形態として、液晶表示パネルを駆動するときに、各サブ画素グループ内の対応する２個のサブ画素の充電が完了するまで、第１サブ画素グループ、第２サブ画素グループ、及び第３サブ画素グループの順序に従って、各サブ画素グループ内の対応するすべてのサブ画素を順番に充電する。それにより、前記液晶表示パネルが単色の画面を表示するときに、データ線上の電圧値のハイ・ローレベル変換周波数が低下する。
【００３６】
具体的には、図５を参照すると、図５は、本発明の液晶表示パネルの駆動方法の駆動波形の模式図である。図５に示すように、液晶表示パネルを駆動するとき、１行目の走査線Ｇ１、４行目の走査線Ｇ４、２行目の走査線Ｇ２、５行目の走査線Ｇ５、３行目の走査線Ｇ３、６行目の走査線Ｇ６、……、ｎ−５行目の走査線Ｇ（ｎ−５）、ｎ−２行目の走査線Ｇ（ｎ−２）、ｎ−４行目の走査線Ｇ（ｎ−４）、ｎ−１行目の走査線Ｇ（ｎ−１）、ｎ−３行目の走査線Ｇ（ｎ−３）、ｎ行目の走査線Ｇ（ｎ）の順序で、その液晶パネル上のすべての走査線が順次オンされる。データ線Ｄ（図にはデータ線のみが概略的に示されている。）により液晶パネル上のサブ画素が充電される。
【００３７】
さらに、図６を参照すると、図６は、本発明の液晶表示パネルが第１色の画面を表示する駆動波形の模式図である。液晶表示パネルが第１色の画面を表示するとき、第１サブ画素に接続された走査線Ｇ（１）、Ｇ（４）、……、Ｇ（ｎ−５）、Ｇ（ｎ−２）がオンされている間、データ線Ｄ１はハイレベルのデータ信号を印加し、第２サブ画素及び第３サブ画素に接続された走査線Ｇ（２）、Ｇ（５）、Ｇ（３）、Ｇ（６）、……、Ｇ（ｎ−４）、Ｇ（ｎ−１）、Ｇ（ｎ−３）、Ｇ（ｎ）がオンされている間、データ線Ｄ１はローレベルのデータ信号を印加する。
液晶表示パネルが第２色の画面を表示するとき、第２サブ画素に接続された走査線がオンされている間、データ線はハイレベルのデータ信号を印加し、第１サブ画素及び第３サブ画素に接続された走査線がオンされている間、データ線はローレベルのデータ信号を印加する。
液晶表示パネルが第３色の画面を表示するとき、第３サブ画素に接続された走査線がオンされている間、データ線はハイレベルのデータ信号を印加し、第１サブ画素及び第２サブ画素に接続された走査線がオンされている間、データ線はローレベルのデータ信号を印加する。
【００３８】
この好ましい実施形態の液晶表示パネルの駆動方法は、第１サブ画素からなる第１サブ画素グループと、第２サブ画素からなる第２サブ画素グループと、第３サブ画素からなる第３サブ画素グループとを含む３つのサブ画素グループに同一列内の複数のサブ画素を分割することと、各サブ画素グループ内の対応するすべてのサブ画素の充電が完了するまで、第１サブ画素グループ、第２サブ画素グループ、及び第３サブ画素グループの順序に従って、各サブ画素グループ内の対応する２個のサブ画素を順番に充電することとによって、液晶表示パネルが単色の画面を表示するときに、データ線上のハイ・ローレベル変換周波数を低下させ、画素の充電能力を向上させ、それにより液晶表示パネルの表示品質を向上させる。
【００３９】
本発明の他の実施形態として、液晶表示パネルを駆動するときに、各サブ画素グループ内の対応するすべてのサブ画素の充電が完了するまで、第１サブ画素グループ、第２サブ画素グループ、及び第３サブ画素グループの順序に従って、各サブ画素グループ内の対応するすべてのサブ画素を順番に充電する。それにより、前記液晶表示パネルが単色の画面を表示するときに、データ線上の電圧値のハイ・ローレベル変換周波数が低下する。
【００４０】
具体的には、液晶表示パネルを駆動するとき、１行目の走査線Ｇ１、４行目の走査線Ｇ４、……、ｎ−５行目の走査線Ｇ（ｎ−５）、ｎ−２行目の走査線Ｇ（ｎ−２）、２行目の走査線Ｇ２、５行目の走査線Ｇ５、……、ｎ−４行目の走査線Ｇ（ｎ−４）、ｎ−１行目の走査線Ｇ（ｎ−１）、３行目の走査線Ｇ３、６行目の走査線Ｇ６、……、ｎ−３行目の走査線Ｇ（ｎ−３）、ｎ行目の走査線Ｇ（ｎ）の順序で、その液晶パネル上のすべての走査線が順次オンされる。データ線は液晶パネル上のサブ画素を充電する。
【００４１】
さらに、図７を参照すると、図７は、本発明の他の実施例の液晶表示パネルが第１色の画面を表示する駆動波形の模式図である。液晶表示パネルが第１色の画面を表示するとき、第１サブ画素に接続された走査線Ｇ（１）、Ｇ（４）、……、Ｇ（ｎ−５）、Ｇ（ｎ−２）がオンされている間、データ線はハイレベルのデータ信号を印加し、第２サブ画素及び第３サブ画素に接続された走査線Ｇ（２）、Ｇ（５）、Ｇ（３）、Ｇ（６）、……、Ｇ（ｎ−４）、Ｇ（ｎ−１）、Ｇ（ｎ−３）、Ｇ（ｎ）がオンされている間、データ線はローレベルのデータ信号を印加する。
液晶表示パネルが第２色の画面を表示するとき、第２サブ画素に接続された走査線がオンされている間、データ線はハイレベルのデータ信号を印加し、第１サブ画素及び第３サブ画素に接続された走査線がオンされている間、データ線はローレベルのデータ信号を印加する。
液晶表示パネルが第３色の画面を表示するとき、第３サブ画素に接続された走査線がオンされている間、データ線はハイレベルのデータ信号を印加し、第１サブ画素及び第２サブ画素に接続された走査線がオンされている間、データ線はローレベルのデータ信号を印加する。
【００４２】
この好ましい実施形態の液晶表示パネルの駆動方法は、第１サブ画素からなる第１サブ画素グループと、第２サブ画素からなる第２サブ画素グループと、第３サブ画素からなる第３サブ画素グループとを含む３つのサブ画素グループに同一列内の複数のサブ画素を分割することと、各サブ画素グループ内の対応するすべてのサブ画素の充電が完了するまで、第１サブ画素グループ、第２サブ画素グループ、及び第３サブ画素グループの順序に従って、各サブ画素グループ内の対応するすべてのサブ画素を順番に充電することとによって、液晶表示パネルが単色の画面を表示するときに、データ線上のハイ・ローレベル変換周波数を低下させ、画素の充電能力を向上させ、それにより液晶表示パネルの表示品質を向上させる。
【００４３】
本発明の液晶表示パネルの駆動方法は、前記第１サブ画素からなる第１サブ画素グループと、前記第２サブ画素からなる第２サブ画素グループと、前記第３サブ画素からなる第３サブ画素グループとを含む３つのサブ画素グループに同一列内の複数のサブ画素を分割することと、各サブ画素グループ内の対応するすべてのサブ画素の充電が完了するまで、第１サブ画素グループ、第２サブ画素グループ、及び第３サブ画素グループの順序に従って、各サブ画素グループ内の対応するＫ個のサブ画素を順番に充電することとによって、前記液晶表示パネルが単色の画面を表示するときに、データ線上のハイ・ローレベル変換周波数を低下させ、画素の充電能力を向上させ、それにより液晶表示パネルの表示品質を向上させる。
【００４４】
上述したように、本発明は好ましい実施例を挙げたが、前記好ましい実施例は本発明を制限するものではなく、当業者であれば、本発明の趣旨と範囲を逸脱しない限り、様々な変更や修飾を行うことができる。従って、本発明の保護範囲は、特許請求の範囲で指定された範囲を基準とする。
【図１】
0006835986.tif 000002
【図２】
0006835986.tif 000003
【図３】
0006835986.tif 000004
【図４】
0006835986.tif 000005
【図５】
0006835986.tif 000006
【図６】
0006835986.tif 000007
【図７】
0006835986.tif 000008